(57)【要約】【課題】本発明は、検知部を有する空間を遮蔽する遮蔽カバーを備えて、検知部を有する空間への異物の混入を低減した警報器を提案することを目的とする。【解決手段】本体部１１において、その側壁１１０から流入する流体を検知部３に誘導する誘導部５が、検知部３の外周側に設けられる。そして、本体部１１には、検知部３及び誘導部５の基台部１０側及び天板１１５側のそれぞれを覆うための遮蔽カバー１１６，１１７が設置される。これにより、本体部１１において、遮蔽カバー１１６，１１７によって、検知部３及び誘導部５が設置された空間が、１つの空間として、本体部１１の他の空間から独立した１つの空間として形成される。【選択図】図１
2010039936.tif 000002
【特許請求の範囲】
【請求項１】
外部から流れ込む流体により周辺環境の物理量の変化を表す環境値を検出する検知部と、該検知部により検出された環境値に基づいて周辺環境における異常の判定を行う制御部と、を備える警報器において、
前記検知部及び前記制御部を内蔵する筐体と、
該筐体の外周壁に形成されて、外部からの流体を該本体部内部に流入させる開口部と、
前記筐体における前記開口部と前記検知部との間の空間に形成され、前記開口部を通じて流入した外部からの流体を前記検知部へ誘導する誘導部と、
前記筐体内部において、前記検知部及び前記誘導部による構成部分を独立した空間とする遮蔽カバーと、
を備えることを特徴とする警報器。
【請求項２】
請求項１において、
前記誘導部によって形成される空間を分割して前記開口部から前記検知部まで前記流体を誘導する複数の誘導路を形成する誘導壁が、前記遮蔽カバーと一体に立設されることを特徴とする警報器。
【発明の詳細な説明】
【技術分野】
【０００１】
本発明は、検知部に流れ込む流体より環境の変化を表す環境値を測定して警報を報知する警報器に関するものである。
【背景技術】
【０００２】
一般に、火災を報知する火災警報器として、室内の温度を検出する熱感知素子を備えた熱感知式の火災警報器（特許文献１参照）や、煙検知器を備えた煙検知式の火災警報器（特許文献２参照）や、両方式を備えた火災警報器（特許文献３参照）などが提供されている。そして、熱感知式の火災警報器は、特許文献１に示されるように、熱感知素子により検出された温度が高温となったときに、火災が発生したものと判断して、警報の発報を行う。一方、煙検知式の火災警報器は、特許文献２に示されるように、煙検知器が測定した煙量が多くなったときに、火災が発生したものと判断して、警報の発報を行う。
【０００３】
これらの火災警報器はそれぞれ、火災検知用に温度又は煙量を測定する検知部を構成する検知室を備えた、流体より周辺環境の変化を検出する感知器として構成される。又、ガス検知を行うガス警報器も同様、流体より周辺環境の変化を検出する感知器として構成される。このような流体により環境値を測定する各種警報器は、その周辺環境の変化を正確に検出するために、検知部内に測定対象となる流体を誘導するための構造を備える必要がある。
【０００４】
そのため、従来の警報器の多くは、特許文献１〜特許文献３に示すもののように、検知部として構成される検知室を筐体外部に突出させた構造として、測定対象となる加熱された流体や煙を積極的に検知室内に流入させている。即ち、特許文献１〜特許文献３に代表されるような構成の警報器においては、その内部に回路部品などを収納して保護する筐体から検知部を突出させた構造として、外環境（測定対象となる周辺環境）に検知部を配置させることで、外環境に近い状態の流体に対して測定を行うものとしている。
【０００５】
このように検知部を突出させた形状の警報器を室内に設置させたとき、室内のデザインに適合したものではないことから、その美観を損なう。そのため、近年、警報器を設置した室内のデザイン性をよくするために、その小型化や薄型化が求められている。そして、この警報器の小型化や薄型化を実現するために、外環境に検知室を突出させることなく、筐体内部に検知室を配置した警報器が提案されている。
【特許文献１】特開平０９−０４４７６９号公報
【特許文献２】特開２００５−３５２９３２号公報
【特許文献３】特開２００２−３５２３４７号公報
【発明の開示】
【発明が解決しようとする課題】
【０００６】
検知室内の流体を測定対象とする警報器においては、塵埃などの異物の混入が、環境値の測定に大きな影響を与えるため、検知室内への異物の混入を防ぐことが望まれる。そして、警報器内部に検知室が設けられた場合、検知部を構成する検知室を覆うように防虫網が設置されるが、塵埃などといった細かい異物の場合、この防虫網の網目を通って検知室内に侵入することがある。そのため、警報器内に検知室が設置される場合、警報器内の検知室の設置空間についても、塵埃などの異物の混入を抑制できるものとすることが望ましい。
【０００７】
又、警報器は、基台と本体部に分割された構造とされる。そして、壁や天井などの設置面に基台が設置固定された後に、検知部や制御部を備えた本体部が固定された基台に係止されて、警報器が設置面へ設置固定される。このとき、上述のように、警報器内部に検知室が設けられる場合、警報器の本体部に検知室が内蔵されるが、本体部の基台への係止される側が空間的に開放されている場合、警報器の設置作業時において、本体部内に設置作業により発生する塵埃が混入してしまう。そのため、設置固定後の警報器は、検知室を有する空間に異物が混入された状態となるため、警報器内部に流出入する測定対象の流体の影響により、検知部を構成する検知室内に異物が混入する恐れがある。
【０００８】
このような問題を鑑みて、本発明は、検知部を有する空間を遮蔽する遮蔽カバーを備えて、検知部を有する空間への異物の混入を低減した警報器を提案することを目的とする。
【課題を解決するための手段】
【０００９】
上記目的を達成するために、本発明の警報器は、外部から流れ込む流体により周辺環境の物理量の変化を表す環境値を検出する検知部と、該検知部により検出された環境値に基づいて周辺環境における異常の判定を行う制御部と、を備える警報器において、前記検知部及び前記制御部を内蔵する筐体と、該筐体の外周壁に形成されて、外部からの流体を該本体部内部に流入させる開口部と、前記筐体における前記開口部と前記検知部との間の空間に形成され、前記開口部を通じて流入した外部からの流体を前記検知部へ誘導する誘導部と、前記筐体内部において、前記検知部及び前記誘導部による構成部分を独立した空間とする遮蔽カバーと、を備えることを特徴とする。
【００１０】
このとき、前記筐体内において、前記外周壁に沿った方向に空間を分割するように前記遮蔽カバーが設置されることで、前記検知部及び前記誘導部による空間を前記筐体内で独立した空間とする。
【００１１】
このような警報器において、前記筐体が、壁や天井などの設置面に設置固定される基台部と、当該基台部に係止されるとともに前記検知部及び前記制御部を内蔵する本体部とによって構成されるとき、前記基台部と前記本体部との境界面に前記遮蔽カバーが設けられるものとしてもよい。
【００１２】
又、本体部において、前記遮蔽カバーにより、前記本体部における、前記制御部が設置される空間と前記検知部及び前記誘導部が設置される空間とが分割されるものとしてもよい。更に、前記制御部により警報の発報動作が制御される発音体を備え、前記本体部内に当該発音体が設置される空間が設けられるとき、当該発音体の設置空間と前記検知部及び前記誘導部の設置空間とが分割されるものとしてもよい。
【００１３】
そして、前記誘導部によって形成される空間を分割して前記開口部から前記検知部まで前記流体を誘導する複数の誘導路を形成する誘導壁が、前記遮蔽カバーと一体に立設されるものとしてもよい。
【発明の効果】
【００１４】
本発明によると、検知部を内蔵する筐体において遮蔽カバーを設けて、検知部と誘導部により構成される空間を筐体内部で独立させた空間とできるため、検知部と共に筐体内に構成された誘導部への異物の混入を低減できる。又、この遮蔽カバーによる筐体内部における誘導部の他空間からの遮蔽により、検知部へ測定対象となる流体を誘導する構造物への作業者などによる接触を防ぐことができる。そして、遮蔽カバーにより、誘導部が形成される空間を、開口部で開放された空間とできるため、誘導部による開口部から検知部への流体の流れ以外の気流を防ぐことができる。更に、警報器の設置作業や電池交換作業中などにおいて、遮蔽カバーにより誘導部への作業者による接触が防がれる。
【発明を実施するための最良の形態】
【００１５】
＜第１の実施形態＞
本発明における第１の実施形態の警報器について、図面を参照して説明する。図１は、本実施形態の警報器の構成を示す概略断面図であり、図２は、本実施形態の警報器の外観構成を示す側面図である。
【００１６】
本実施形態の警報器は、図１に示すように、警報器全体を覆う筐体１の内部に、警報器の各動作を制御する不図示の制御部を構成する回路部品を搭載した回路基板２と、筐体１外部の周辺環境（外環境）を流れる流体が流入することで環境値の測定を行う検知部３と、外部に警報を発報する発音体４とを備える。そして、回路基板２には、検知部３及び発音体４が電気的に接続されるため、検知部３で測定された環境値が電気信号として、回路基板２上の不図示の制御部に与えられ、発音体４による警報の要否が判定される。この回路基板２上に構成された不図示の制御部において、警報の発報が必要である旨の判定がなされたとき、回路基板２に電気的に接続された発音体４の警報発報動作が制御され、発音体４による警報の発報がなされる。
【００１７】
このような警報器において、筐体１は、天井や壁などの設置面に設置固定される略円盤状の基台部１０と、この基台部１０に係止される本体部１１とによって構成される。そして、基台部１０は、設置面に当接させる端面を備えた底板１００と、この底板１００の外周縁より設置面と反対側に立設される外周壁となる側壁１０１と、この側壁１０１の先端に凸設けられた鈎状の断面を有する係止部１０２とを備える。即ち、基台部１０は、リング状の側壁１０１の一方の端面が底板１００に覆われるとともに、その他方の端面が開口面となる。そして、側壁１０１の開口面側の端部に設けられた係止部１０２に本体部１１が係合して、本体部１１が基台部１０に固定される。
【００１８】
本体部１１は、基台部１０に本体部１１が係合したときに側壁１０１と連続した外周壁を形成するリング状の側壁１１０と、側壁１１０の周面に対して周方向に沿って形成される開口部１１１と、側壁１１０の軸方向に沿って開口部１１１を分割する横桟部１１２と、側壁１１０の周方向に沿って開口部１１１を複数の領域に分割する縦桟部１１３と、側壁１１０における基台部１０側の端部に凸設された鈎状の係止部１１４と、側壁１１０の基台部１０と反対側の端面を覆う略円盤状の天板１１５とを備える。
【００１９】
即ち、本体部１１は、天板１１５の外周縁より基台部１０側に側壁１１０が立設され、その基台部１０側が開口した円筒形状となる。そして、図２に示すように、側壁１１０には、その周方向に開口した開口部１１１が設けられることにより、筐体１外部を流れる流体が開口部１１１を通じて筐体１内部に流入するとともに、筐体１内部の流体が開口部１１１を通じて筐体１外部に流出する。
【００２０】
更に、この側壁１１０における開口部１１１の構成位置に、リング状の横桟部１１２と柱状の縦桟部１１３とが交差して設けられる。そして、図２に示すように、縦桟部１１３は、側壁１１０における開口部１１１に対して、基台部１０側から天板１１５側に架橋するように形成されて、本体部１１の側壁１１０の開口部１１１の強度を補う。この縦桟部１１３は横桟部１１２の周方向に沿って複数周設されることで、開口部１１１を周方向に沿って複数領域に分割する。
【００２１】
尚、図１及び図２の構成例では、開口部１１１の構成位置において、側壁１１０の軸方向に沿って２つの横桟部１１２が形成されるものとし、開口部１１１が軸方向に沿って３領域に分割されるものとしているが、横桟部１１２の個数について２つに限定するものではなく、筐体１の強度が十分である場合は、横桟部１１２がなくてもよい。同様に、縦桟部１１３の設置数についても、筐体１に十分な強度を寄与するだけの個数を備えるものであればよい。又、横桟部１１２及び縦桟部１１３はそれぞれ、開口部１１１を通じて筐体１１内部に流入する流体の流れを阻害するため、その設置数が少ない方が望ましい。
【００２２】
更に、本体部１１は、本体部１１の軸方向に対して空間を分割する遮蔽カバー１１６，１１７を備え、遮蔽カバー１１６，１１７の両方によって覆われた空間に検知部３が設置される。そして、遮蔽カバー１１７と天板１１５とによって覆われた空間に、警報器の制御を行う制御部が設置されるとともに検知部３と電気的に接続された回路基板２や、この回路基板２と電気的に接続された警報発報のための発音体４が設置される。尚、天板１１５には、ブザー又はスピーカによって構成される発音体４からの音声による振動を外部の空気に伝達させるための音孔１１８が設けられる。
【００２３】
即ち、遮蔽カバー１１６，１１７はそれぞれ、その面が底板１００及び天板１１５による面と略平行になるように設置され、遮蔽カバー１１６が、本体部１１の基台部１０側に設けられる一方で、遮蔽カバー１１７が、本体部１１の天板１１５側に設けられる。そして、遮蔽カバー１１７は、その面方向における検知部３の設置位置に貫通穴が設けられ、この貫通穴に回路基板２と接続された検知部３が挿入される。又、天板１１５と遮蔽カバー１１７と側壁１１０とによって構成された空間は、その空間内に設置された発音体４からの音声振動に共鳴する共鳴空間となる。又、遮蔽カバー１１６，１１７の両方によって覆われた空間における検知部３の外側領域には、側壁１１０に設けられた開口部１１１から流入する流体を検知部３まで誘導する誘導部５が形成される。
【００２４】
これにより、遮蔽カバー１１６，１１７が設置されることで、誘導部５は、基台部１０側の空間及び天板１１５側の空間（共鳴空間）それぞれから隔離され、開口部１１１で開放された空間となる。そのため、遮蔽カバー１１６，１１７によって、基台部１０側の空間及び天板１１５側の空間から誘導部５に対する塵埃の混入が防止される。又、基台部１０側の空間及び天板１１５側の空間から誘導部５を流れる気流が遮蔽カバー１１６，１１７によって遮られるため、誘導部５内の気流を開口部１１１からの流れで制限できる。更に、この遮蔽カバー１１６，１１７により、警報器の設置作業や電池交換作業中において、その作業者による誘導部５への接触を、遮蔽カバー１１６，１１７によって防止できる。
【００２５】
又、誘導部５が形成される、遮蔽カバー１１６，１１７の両方によって覆われた空間領域の一部には、警報器に電力供給を行う電池６を保持する電池ケース７が、遮蔽カバー１１６，１１７を接続するように立設される。この電池ケース７は、遮蔽カバー１１６，１１７により覆われた空間で、開口部１１１と検知部３との間に設けられるため、開口部１１１から検知部３に向かう流体の流れを遮る構造物となる。
【００２６】
尚、電池ケース７は、遮蔽カバー１１６，１１７のいずれか一方と一体化された構成としてもよいし、遮蔽カバー１１６，１１７のいずれとも別体となるように構成されるものとしてもよい。このとき、図１に示すように、電池ケース７は、電池６が挿入される開口部分が、遮蔽カバー１１６の基台部１０側に設置される。これにより、警報器における電池６の交換を行う際に、本体部１１を基台部１０からの取り外したときに、遮蔽カバー１１６をも取り外すことなく電池６を交換できるため、遮蔽カバー１１６により検知部３及び誘導部５を保護できる。又、電池ケース７について、遮蔽カバー１１６，１１７のいずれか一方と一体化する場合、電池ケース７の開口部を基台部１０側に設置できるため、図１に示すように、遮蔽カバー１１６と一体化されるものとすることが好ましい。
【００２７】
このように構成される警報器は、上述したように、基台部１０が、その底板１００が設置面に当接した状態でネジなどの固定具により螺合されることで、天井又は壁などの下地に設置固定される。そして、基台部１０の側壁１０１に設けた係止部１０２に対して、本体部１１の側壁１１０に設けた係止部１１４を係合させることで、本体部１１を基台部１０に固定接続させる。この本体部１１には、上述のように、遮蔽カバー１１６が設けられ、この遮蔽カバー１１６によって、検知部３及び誘導部５が同一平面上に設けられる空間の基台部１０側が覆われる。よって、作業者が、設置面に固定した基台部１０に本体部１１を取り付ける際に、本体部１１内の検知部３及び誘導部５を形成する空間に、作業中に発生する塵埃などが混入することを防止できる。
【００２８】
＜第２の実施形態＞
本発明における第２の実施形態の警報器について、図面を参照して説明する。図３は、本実施形態の警報器の構成を示す概略断面図であり、図４は、本実施形態の警報器の本体部内部の構成を示す平面図である。尚、本実施形態の警報器の構成おいて、第１の実施形態における警報器の構成と同一の部分については同一の符号を付して、その詳細な説明は省略する。又、本実施形態の警報器においても、第１の実施形態と同様、その外観が図２の側面図に示されるものとして説明する。
【００２９】
本実施形態の警報器は、図３に示すように、第１の実施形態の警報器（図１参照）に対して、本体部１１に構成された誘導部５を複数の領域に分割する誘導壁５１を追加した構成となる。即ち、遮蔽カバー１１６，１１７により覆われた空間において、側壁１１０に設けられた開口部１１１から検知部３まで延設された複数の誘導壁５１が設けられる。この誘導壁５１による構成以外については、第１の実施形態と同様となるため、その詳細な説明については、第１の実施形態を参照とするものとし、本実施形態では省略する。
【００３０】
図３に示す警報器は、遮蔽カバー１１６，１１７のそれぞれに接続された上述の複数の誘導壁５１を備えることで、遮蔽カバー１１６，１１７の間に形成される誘導部５が複数の領域に分割される。即ち、図４に示すように、遮蔽カバー１１７の面方向に対して、複数の誘導壁５１が、検知部３を中心として略放射状に立設され、隣接する誘導壁５１により分割された領域が誘導路５２として機能する。
【００３１】
このとき、遮蔽カバー１１６，１１７に対して立設される誘導壁５１は、遮蔽カバー１１６，１１７のいずれか一方と一体化された構成としてもよいし、遮蔽カバー１１６，１１７のいずれとも別体となるように構成されるものとしてもよい。更に、図３に示す構成において、電池ケース７を誘導壁５１と共に遮蔽カバー１１６と一体化させることで、誘導部５に対する電池ケース７などの突起物に誘導壁５１を直接的に接続させ、電池ケース７などの突起物を誘導壁５１の一部とすることができる。尚、誘導壁５１が遮蔽カバー１１６，１１７のいずれか一方と一体化された構成とすることで、警報器の部品点数を低減することができ、その製造工程を簡略化できる。
【００３２】
この誘導壁５１が遮蔽カバー１１６，１１７と接続されることにより、誘導壁５１と遮蔽カバー１１６，１１７の間に間隙がなくなるため、誘導路５２への塵埃の混入を更に防止できるだけでなく、誘導壁５１を介して隣接する誘導路５２間に流体が流れることを防止できる。又、第１の実施形態と同様、遮蔽カバー１１６，１１７が設置されることにより、誘導壁５１により構成される誘導路５２は、基台部１０側の空間及び天板１１５側の空間それぞれから隔離され、開口部１１１で開放された空間となる。よって、筐体１における他空間からの誘導路５２への塵埃の混入及び気流の流れ込みや、作業者による誘導壁５１及び誘導路５２への接触を、遮蔽カバー１１６，１１７によって防止できる。
【００３３】
このような構成の警報器における誘導壁５１の詳細について、図４の平面図を参照にして、検知部３を光電式の煙検知部とした場合の構成例を以下に説明する。煙検知部を構成する検知部３は、図４に示すように、遮蔽カバー１１７の面方向において、その中心から偏心した位置に設置される。誘導壁５１は、遮蔽カバー１１７の外周縁に周設された開口部１１１における縦桟部１１３から検知部３の外周壁までを結ぶように設置される。
【００３４】
又、検知部３は、複数のラビリンス壁３０２と、発光ダイオードＬを備えた発光部３０３と、フォトダイオードＰＤを備えた受光部３０４とが、光電基台となる底板３０１の外周側に周設された構成となる。そして、誘導壁５１の検知部３側の端部が、ラビリンス壁３０２、発光部３０３、及び受光部３０４それぞれの設置位置で、誘導壁５１の外周壁と接続される。即ち、検知部３内部に流入しようする流体（煙）の流れに対して障害となるラビリンス壁３０２、発光部３０３、及び受光部３０４のそれぞれから延設するように、誘導壁５１が設けられる。これにより、誘導壁５１により形成される誘導路５２により誘導された流体の流れに対して、検知部３の構成物による障害を低減できる。尚、検知部３は、その外周側が防虫網３０５で覆われた構成とされることで、検知部３内への虫や塵埃の侵入が防がれる。
【００３５】
そして、このような誘導壁５１の一部には、遮蔽カバー１１７から遮蔽カバー１１６まで貫通する電池ケース７及びコネクタ８をその一部とするものがある。即ち、誘導壁５１として、遮蔽カバー１１６，１１７によって構成される空間における突起物を一部に利用したものがある。コネクタ８を一部とする誘導壁５１は、縦桟部１１３及びコネクタ８間で延設された誘導壁５１ａと、コネクタ８と、コネクタ８及び検知部３間で延設された誘導壁５１ｂとによって構成される。又、電池ケース７を一部とする誘導壁５１は、２つの縦桟部１１３と直接接続された電池ケース７と、電池ケース７及び検知部３間で延設された２つの誘導壁５１ｃとによって構成される。
【００３６】
このように構成することで、突起物となる電池ケース７及コネクタ８のそれぞれを誘導壁として機能させることができる。尚、コネクタ８は、回路基板２上の不図示の制御部と電気的に接続されるとともに、遮蔽カバー１１７から遮蔽カバー１１６まで貫通した形状を備える。このように構成することで、遮蔽カバー１１６の基台部１０側の表面からコネクタ８を突出させた構造とできる。そのため、基台部１０から本体部１１を取り外したときに、このコネクタ８に外部から電気信号を与えて、回路基板２上の不図示の制御部を動作させることで、警報器の動作試験などが行われる。
【００３７】
このようにコネクタ８を遮蔽カバー１１７から遮蔽カバー１１６まで貫通させる場合、遮蔽カバー１１６，１１７間を接続する柱状のコネクタ挿入部材を設ける。このコネクタ挿入部材は、その断面をコネクタ８が挿入される穴を有する管状とすることで、回路基板２に接続されたコネクタ８の先端がコネクタ挿入部材を通じて、遮蔽カバー１１６の基台部１０側の表面まで誘導される。このコネクタ挿入部材は、上述した誘導壁５１ａ，５１ｂと一体化されるものとしてもよいし、更に、電池ケース７と同様、遮蔽カバー１１６，１１７のいずれか一方と一体化されるものとしてもよい。
【産業上の利用可能性】
【００３８】
本発明は、流体より環境値を取得する検知部を備えた警報器に適用可能である。特に、光電式の煙検知部や感熱素子を備えた火災警報器を構成する警報器や、ガス量を測定するためのガス警報器を構成する警報器などに適用することができる。
【図面の簡単な説明】
【００３９】
【図１】は、本発明の第１の実施形態の警報器の構成を示す概略断面図である。
【図２】は、図１の警報器の外観構成を示す側面図である。
【図３】は、本発明の第２の実施形態の警報器の構成を示す概略断面図である。
【図４】は、図３の警報器における本体部の内部の構成を示す平面図である。
【符号の説明】
【００４０】
１                  筐体
２                  回路基板
３                  検知部
４                  発音体
５                  誘導部
６                  電池
７                  電池ケース
８                  コネクタ
１０                基台部
１１                本体部
５１                誘導壁（誘導部材）
５１ａ〜５１ｃ      誘導壁（誘導部材）
５２                誘導路
１００              底板
１０１              側壁（外周壁）
１０２              係止部
１１０              側壁（外周壁）
１１１              開口部
１１２              横桟部
１１３              縦桟部
１１４              係止部
１１５              天板
１１６，１１７      遮蔽カバー
１１８              音孔
３０１              底板
３０２              ラビリンス壁
３０３              発光部
３０４              受光部
３０５              防虫網
【図１】
2010039936.tif 000003
【図２】
2010039936.tif 000004
【図３】
2010039936.tif 000005
【図４】
2010039936.tif 000006